(57)【要約】【課題】  ゴルフ練習器具の部品は、チューブ内に配される。このゴルフ練習器具を用いると、ゴルフクラブを用いずにゴルフスイングをシミュレーションすることが可能となる。チューブ内に伸張コイルばねが配される。このばねが重りに接続されると、チューブをスイングする間に遠心力が働くことにより、重りをチューブの先端へと移動させる。衝撃吸収材がチューブ先端に配されることで、チューブによる弧を描くスイングが高速で達成される際には必ず、重りが衝撃吸収材に対して衝撃を与える。衝撃吸収材は可塑性のエラストマーを有し、該エラストマーは、前記重りの遠心移動を制止させ、その衝撃を和らげる。そして、該エラストマーは音を発することにより、十分な速度でスイングが行なわれたことを練習者に示す。【選択図】  なし
2009518075.tif 000002
【特許請求の範囲】
【請求項１】
ゴルフスイング練習器具であって、
前記練習器具は、ゴルフクラブが有さない中空状のチューブを備え、該中空状のチューブは、ゴルフクラブのスイングをシミュレートする弧形状のスイングを行うことが可能な大きさであって、
前記練習器具は、さらに、
前記チューブのハンドル端部に配された支持部と、
前記チューブ内に配されるとともに、前記支持部に接続される伸張コイルばねを備え、前記伸張コイルばねは前記チューブの先端部へと延伸するとともに、前記チューブ内で伸縮可能であって、
前記練習器具は、さらに
前記チューブ内に配される重りを備え、該重りは、前記ばねの先端部に接続され、
前記重りの質量が前記伸張コイルばねの力や長さに関連付けられて定められることにより、前記重りは、遠心力に応じて前記チューブの前記先端部へ向かって移動可能となるとともに、前記重りが前記遠心力を受けない場合に前記ばねは前記重りを前記チューブのハンドル端部へと移動可能であって、
前記練習器具は、さらに、
前記チューブの先端部において前記チューブ内に配される衝撃吸収材を備え、該衝撃吸収材は可塑性のエラストマーを備え、
前記重りと前記衝撃吸収材が前記チューブ内に配されることにより、前記重りの移動する方向の先端部において、前記重りが前記衝撃吸収材に対して衝撃を与え、前記衝撃吸収材が前記重りの遠心移動を制止する際、前記重りが前記エラストマーを変形可能であることを特徴とする、ゴルフスイング練習器具。
【請求項２】
前記重りが前記衝撃吸収材に対して衝撃を与える際、前記重りと前記衝撃吸収材が可聴音を発することを特徴とする、請求項１記載のゴルフスイング練習器具。
【請求項３】
前記衝撃吸収材は、先端プラグ、前記可塑性のエラストマー、螺子、そしてワッシャを備え、該螺子とワッシャにより前記可塑性のエラストマーを前記先端プラグに固定することを特徴とする、請求項１記載のゴルフスイング練習器具。
【請求項４】
前記重りの先端部は前記ワッシャと当接可能であることを特徴とする、請求項３記載のゴルフスイング練習器具。
【請求項５】
前記重りが螺旋形状溝を有する軸を備え、該軸は、前記伸張コイルばねの回旋部先端内で収容されて噛合うことで、前記重りと前記ばねが接続されることを特徴とする、請求項１記載のゴルフスイング練習器具。
【請求項６】
潤滑剤が前記チューブ内部に配され、前記ばねと前記重りの移動を円滑にすることを特徴とする、請求項１記載のゴルフスイング練習器具。
【請求項７】
前記衝撃吸収材は先端プラグを備え、該先端プラグは、組立部により前記チューブに固定され、該組立部は、前記プラグを貫通し、該プラグの貫通入口から前記チューブ内の反対側の壁面領域へと到達するように、延出することを特徴とする、請求項１記載のゴルフスイング練習器具。
【請求項８】
ゴルフスイング練習器具であって、
前記練習器具は、先端止め具を有する中空状のチューブを備え、該先端止め具は、チューブの先端部内で固定され、
前記練習器具は、さらに、
前記先端部によって支持される衝撃吸収材と、
前記チューブ内で伸縮するよう配される伸張コイルばねを備え、該伸張コイルばねは、前記チューブのハンドル端部で支持部に固定され、
前記練習器具は、さらに、
前記チューブ内部で前記ばねの先端部に固定される重りを備え、該重りの質量が前記伸張コイルばねの力や長さに関連付けられて定められることにより、ゴルフクラブを用いずに前記チューブでゴルフスイングをシミュレートする時、遠心力が前記重りに対して作用し、前記ばねは伸張するとともに、前記重りは、前記チューブの先端部に向かって移動し、
前記重りは、前記衝撃吸収材に対して衝撃を与えるように配されることにより、前記衝撃吸収材は前記重りの遠心運動を制止させ、衝撃を和らげることを特徴とする、ゴルフスイング練習器具。
【請求項９】
前記重りが前記衝撃吸収材に対して衝撃を与える際、可聴音が発せられることを特徴とする、請求項８記載のゴルフスイング練習器具。
【請求項１０】
前記衝撃吸収材は可塑性のエラストマーを備えることを特徴とする、請求項８記載のゴルフスイング練習器具。
【請求項１１】
前記先端止め具が前記チューブの壁に固定されることを特徴とする、請求項８記載のゴルフスイング練習器具。
【請求項１２】
前記重りが螺旋形状溝を有する軸を備え、該軸は、前記伸張コイルばねの回旋部先端内で収容されて噛合うことで、前記重りと前記ばねが接続されることを特徴とする、請求項８記載のゴルフスイング練習器具。
【請求項１３】
潤滑剤が前記チューブ内部に配され、前記ばねと前記重りの移動を円滑にすることを特徴とする、請求項８記載のゴルフスイング練習器具。
【請求項１４】
伸張コイルばねを有する中空状のチューブを用いる、ゴルフクラブのスイング改善方法であって、該伸張コイルばねは前記チューブ内で移動可能な重りを支持し、
前記方法は、
ゴルフクラブを用いずにチューブをスイングし、ゴルフクラブのスイングをシミュレートすることで、前記重りは、前記ばね力に抗して前記チューブの先端部へと移動を加速させ、前記チューブ先端部にて、前記重りは、前記チューブの先端部への加速に抗する抵抗力を増大させるよう、前記重りの質量、前記ばねの長さ、そして前記ばねの力を設定する段階と、
前記チューブの先端部で衝撃吸収材を配する段階を備え、前記重りが前記衝撃吸収材と係合し音を発する時、前記衝撃吸収材は、前記重りの前記チューブ先端部への移動を制止させ、その衝撃を和らげることを特徴とする、ゴルフクラブのスイング改善方法。
【請求項１５】
前記チューブ内部に潤滑剤を配する段階を備え、該段階により、前記ばねと前記重りの前記チューブ内における移動を促進することを特徴とする、請求項１４記載のゴルフクラブのスイング改善方法。
【請求項１６】
前記チューブ、前記ばね、そして前記重りの総重量をゴルフクラブの総重量よりも大きくなるように設定する段階を備えることを特徴とする、請求項１４記載のゴルフクラブのスイング改善方法。
【請求項１７】
ゴルフスイング練習器具であって、
前記練習器具は、ゴルフクラブシャフトとほぼ同じ長さの中空状のチューブと、
前記チューブの先端部に固定される先端止め具を備え、該先端止め具は、前記チューブ内に衝撃吸収材を有し、該衝撃吸収材は、可塑性のエラストマーを有し、
前記練習器具は、さらに、
伸張コイルばねを備え、該コイルばねは、前記チューブ内におけるハンドル先端の支持部に固定され、
前記練習器具は、さらに、
前記ばねの先端部に固定される重りを備え、前記チューブがゴルフスイングをシミュレートする弧を描くようにスイングされる際、重りに対して与えられる遠心力が前記ばね力よりも大きくなるように、該重りの質量が前記伸張コイルばねの力や長さに関連付けられて定められ、前記遠心力が前記重りを前記チューブの先端部へ移動させ、
前記重りの先端部が前記衝撃吸収材に対して衝撃を与え、前記可塑性のエラストマーは、前記重りの前記チューブ先端部への運動を制止させ、その衝撃を和らげ、
前記重りが前記衝撃吸収材に衝撃を与える際、可聴音が発せられるように、前記重りと前記衝撃吸収材が形成されることを特徴とする、ゴルフスイング練習器具。
【請求項１８】
潤滑剤が前記チューブ内部に配され、前記ばねと前記重りの前記チューブ内での移動を促進することを特徴とする、請求項１７記載のゴルフスイング練習器具。
【請求項１９】
前記ゴルフクラブ練習器具の重量がゴルフクラブの約２倍の重量であることを特徴とする、請求項１７記載のゴルフスイング練習器具。
【請求項２０】
前記重りが螺旋形状溝を有する軸を備え、該軸は、前記伸張コイルばねの回旋部先端内で収容されることで噛合い接続がなされ、前記重りが前記ばねに保持されることを特徴とする、請求項１７記載のゴルフスイング練習器具。
【請求項２１】
前記先端止め具がプラグを備え、該プラグが前記チューブの壁部に固定されることを特徴とする、請求項１７記載のゴルフスイング練習器具。
【発明の詳細な説明】
【技術分野】
【０００１】
本発明は、ゴルフスイングの練習を行なうための、ゴルフスイング練習器具に関する。
【背景技術】
【０００２】
多くのスティック、シャフト、及びバットがスイングの練習目的に提案されてきた。このような練習に意欲のある人は、通常であれば野球、ゴルフ、あるいはスティックやバット、あるいはクラブを振ることに関連するスポーツに興味を抱いている。
【発明の開示】
【発明が解決しようとする課題】
【０００３】
本発明は上述のようなスイング練習器具を改良するものである。
【課題を解決するための手段】
【０００４】
本発明は重りを用いる。該重りはスイング練習器具のハンドル端部に向かって弾性的に引張る。該重りは、スイング練習器具の長手方向に移動可能な質量を備える。練習器具がスイングの際に弧を描くと、該重りは練習器具の長手方向に沿ってハンドルから離れるため、弾性的に接合された重りを練習器具のハンドル端部まで前進あるいは進行させる。練習器具をゴルフクラブのスイングで弧を描くように高速度でスイングを行なうと、重りの塊部は練習器具の先端部へ移動する。前記先端部では高速でスイングすることにより練習器具に抗する抵抗力が増大する。
【０００５】
好適な実施形態において、ばねと重りはチューブ内で接続されて、該ばねはハンドル端部の支持部に固定されるとともに、該重りはチューブの先端部へ自由に移動する。該重りの質量は、伸張コイルばねの長さと力に関連付けられて定められる。このため、チューブがゴルフクラブのスイングをシミュレートして弧を描くように振られると、該重りがチューブの先端部に移動することが可能となる。チューブの先端部には衝撃吸収材があり、該衝撃吸収材は可塑性のエラストマーを備える。重りが衝撃吸収材に衝撃を与えると、エラストマーが変形して衝撃を和らげ、重りの先端部の動きを止める。これによりシミュレーションスイングが適切な速さであったことを練習者に伝える可聴音が発せられる。
【発明を実施するための最良の形態】
【０００６】
本発明のスイング練習器具（１０）の簡略された実施形態は、図１及び図２に示される。この簡略された実施形態は練習器具（１０）のハンドル端部（１１）にハンドグリップを備え、このハンドグリップは、弧を描くように練習器具をスイングするためのものである。シャフト（１２）はハンドルグリップ（１１）から先端止め具まで延出する。図1の両方向矢印で表されているように、重り（１５）は中心に穴部を有しており、該重り（１５）はシャフト（１２）を囲み、シャフト（１２）上を滑らせることが可能である。ばね及び他のエラストマー部材は、重り（１５）をハンドル（１１）に接続するとともに、シャフト（１２）に沿った先端止め具（１３）までの塊部（１５）（重り）の移動に対し抵抗力をもたらす。
【０００７】
ばね（１６）は伸張可能なコイルばねであることが好ましいが、他のエラストマー部材であってもよい。このような他のエラストマー部材は、重り（１５）及びハンドル（１１）あるいはシャフト（１２）と接続可能で、重り（１５）が先端止め具（１３）に移動できる程度、延伸可能であるのが望ましい。他に、バンジー・コード、空気圧シリンダ、及びばねの力を増大させる滑車装置を備えるエラストマー部材でも可能である。
【０００８】
重り（１５）は金属製物体であって、様々な形状であることが好ましい。重りは、練習器具（１０）のスイングの動きに抵抗する、質量を提供する主なる役割を担う。一般的に、重り（１５）の形状として、中心に穴部を有するシリンダ形状が容易で好都合である。スイングが進む際、重りがハンドルから外側へ移動する限りにおいて、重り（１５）は抵抗重りをもたらすことに加え様々な機能を果たす場合、他の様々な形状も実施可能である。
【０００９】
実際には、ばね（１６）の力と長さ、及び重り（１５）の質量は、慎重に選択される。これにより、例えば、高速度でゴルフのスイングをすると、図２に示すように先端止め具（１３）まで重り（１５）を移動させることが可能になる。その位置において、重り（１５）はクラブのヘッドに相当し、練習を正しく行うためには前記ヘッドを加速させなければならない。ヘッドを加速させるためには、高速度でスイングできる程度の筋肉を身につけなければならない。重り（１６）の質量は、練習器具（１０）をスイングする人の腕力を圧倒する遠心力を生み出すほど大きくあってはならない。弧を描くように練習器具（１０）をスイングしていると十分に実感できれば、スイングが用いられるスポーツをシミュレートしていることになる。即ち、ゴルフスイングに関して言えば、スイングが加速するにつれて重り（１５）が先端止め具（１３）まで移動することになる。これにより、抵抗力が強まるということを除けば、練習器具（１０）をスイングしているという実感は、ゴルフクラブをスイングしているという負担及び感触に近いはずである。練習器具（１０）はゴルフクラブよりも重いことが好ましく、ゴルフクラブの凡そ２倍の重さであることが好ましい。
【００１０】
ばね（１６）は重り（１５）を先端止め具（１３）まで容易に移動させるものであってはならない。すなわち、ばね（１６）の力は、重り（１５）が先端止め具（１３）に至る前に、力強く高速なスイング可能とする必要がある。同様に、重り（１５）が先端止め具（１３）に近づくにつれ、重り（１５）はシミュレートされたゴルフスイングの弧に渡って練習器具（１０）の加速に対する抵抗力をますます増大させる。弧に渡って抵抗力が増大するので、重りは、練習器具に対して力を加え、この抵抗力に抗する動きが強いられる。
【００１１】
ゴルフのスイングを練習するために、例えば、重り（１５）の質量及びばね（１６）の力を適切に選択すると、スイング練習器具（１０）はまさにゴルフクラブをスイングしているような感触を与えることが可能である。十分に速い速度でスイングすると、練習器具（１０）がゴルフクラブの動きをシミュレートする抵抗力を与え、スイングに必要な筋肉を発達させることが可能である。重り（１５）を非常に重く設定したり、あるいは重り（１５）を止め具（１３）まで容易に延出させたりすると、練習器具（１０）は非常に重く扱いにくく感じられ、ゴルフクラブを模擬することはできない。強すぎるばねの力（１６）は、スイング中に重り（１５）を先端止め具（１３）まで動かすという所望の結果を成し遂げることを妨げる。
【００１２】
高速度でスイングするためには、手首をアンコックして、内側の手より前に出る外側の手によるてこの作用を使ってすぐにシャフトを加速させる必要がある。打球領域で効果的に手首をアンコックし、クラブヘッドの速さを改善することにより、塊部（１５）を先端止め具（１３）まで動かすことが可能となる。しかしながら、この時、重り（１５）の塊部は、さらにハンドル（１１）から遠ざかるように前進することで、クラブヘッドの速度増加に次第に反発する。滑るように動く重り（１５）は上述のようにハンドルから遠ざかるように前進し、高速度のスイングに対して次第に抵抗力を上げていく。高速度でスイングすることは練習者にとっては重要なことである。シャフトをてこで動かし、重り（１５）の半径方向の速度をあげ、この速度に抗する抵抗力を増大させるので、練習器具（１０）は上述のように手首をアンコックする際に効果的に筋肉を発達させる必要がある。
【００１３】
練習器具（１０）を用いた実験によれば、スイングの練習中にばね（１６）のコイルがシャフト（１２）に沿って延出すると、ばね（１６）は十分なかつ練習者の意識をひきつけるような音を出す。同様に、重り（１５）は先端止め具（１３）と係合する際にクリック音を出す。ばね（１６）の音及び止め具（１３）に到達する重り（１５）のクリック音の組み合わせは、装置（１０）のスイングが成功したということを確実に通知する。
【００１４】
本発明の練習器具（２０）の他の実施形態は、図３及び図４に示される。ロッドを囲むばね及び重りの代わりに、ばね（１６）及び重り（１５）はチューブ（２５）内に配される。これにより、移動部品すべてはその周囲を保護され、構造は幾分簡素化される。
【００１５】
ハンドグリップ（１１）はチューブ（２５）のハンドル端部の周囲を囲むように形成される。ノブ（つまみ）（２１）はねじ式ロッド（２２）を調節する。該ねじ式ロッド（２２）はばね調節器（２３）の軸方向の位置を固定する。ノブ（２１）を回転させると、ばね調節器（２３）を図３に示される軸方向の位置から図４で示される位置まで移動させることが可能となる。これにより、ばね（１６）が延伸し、延伸距離は長くなる。ばね（１６）が前記延伸距離を伸びることで、塊部（１５）は先端止め具（１３）まで移動する。これにより、練習器具（２０）はばね力を調整可能であり、ばねの力は増大する。ばねの力を調整可能なものとすることは、高速度のスイングを改良する個々の能力に適応するために望ましい。また、調整可能なばねを用いることで、高速度のスイングを改良する能力を高めた人に対して、より一層の努力を求めることも可能である。
【００１６】
一連の穴部（２６）はチューブ（２５）の先端部の近辺に形成される。該穴部（２６）は、練習器具（２０）をスイングするとヒューという音を出す。同様に、重り（１５）が先端止め具（１３）に接近すると、重り（１５）は図４で示されるように１以上の穴部（２６）をふさぎ、生じる音色及び音を変化させることが可能である。上述のように、重り（１５）が先端止め具（１３）に接近するにつれ、スイング練習器具（２０）の音は急激に変化する。これにより、練習器具（２０）をスイングする人に、上手くスイングできたことを耳で聞こえるように知らせることが可能である。
【００１７】
チューブタイプの練習器具（２０）の様々な変更形態が図５及び図６で概略的に示されている。チューブ（２５）、塊部（１５）、及びばね（１６）はこれら変更形態に共通している。
【００１８】
図５に示される練習器具（２０）の実施形態は、ハンドル端部（１１）のバッテリー、及び先端止め具（３３）に配されたマイクロスイッチを備える。練習器具（２０）を力強くスイングすると、重り（１５）はマイクロスイッチ（３１）と当接する。このスイングにより回路は閉じ、バッテリー（３０）のエネルギがスイングの成功を伝えることを可能にする。これは可聴式の音響器（３３）を作動させることによりなされ、練習器具（２０）をスイングする人に正しくスイングしたことを告げる音を出す。また、バッテリー（３０）を配置することで、マイクロスイッチ（３１）が作動し、回路が閉じた場合、スイングの成功を視覚的に表示するライト（３４）を灯すことも可能である。練習器具（２０）を反射器近傍でスイングすることも可能である。発光ダイオード（３４）等の光源から光を方向付け、反射器を使って、ハンドル（１１）へ光を後方反射させる。これにより、練習者は発生する閃光を見ることができる。上述のように成功したスイングは可聴音や視覚信号を生成し、シミュレートされた高速スイングを正しく行ったことを練習者に示す。
【００１９】
図６の実施形態は、第２の重り（４５）及び第１のばね（１６）の内部に配された軽量な第２のばね（４６）を備える。重り（１５）が、先端止め具（１３）に接近することによりスイッチ（４１）を作動させる。スイッチ（４１）は、スイッチ（４１）と対をなす他のスイッチ（４２）を始動させる。スイッチ（４２）は、第２の重り（４５）を開放する。該第２の重り（４５）は遠心力下で急速に移動し、軽量なばね（４６）を延伸させ、第２の重りが第１の重り（１５）の動きに追いつく。このとき、重り（１５）の塊部は別の重り（４５）の塊部にすぐに合わさるため、高速度で練習器具（２０）をスイングする際にスイングに反する働きをする抵抗力が増大する。
【００２０】
第２の重り（４５）及び第２のばね（４６）は、第１のばね（１６）内部に配されることが好ましい。これにより第２の重り（４５）がスイッチ（４２）によりひとたび放たれると、重り（４５）は重り（１５）が辿った軌道に沿って急速に進み、重り（１５）と接続して先端止め具（３５）に接近する。第２の重り（４５）の新たな抵抗力は、練習器具（２０）のスイングが高速に近づく際にのみ適用されるものである。該第２の重り（４５）の新たな抵抗力は練習者にさらなる努力を求める。該練習者は、重り（１５）が先端部の止め具（１３）に接するようにスイングの速度を速める必要がある。練習者のスイングが最高速度に近づき、重り（４５）が外側に動いて第１の重りと接続すると、これにより練習器具を扱う練習者に更なるスイング時の抵抗力を課すことになる。この更なる抵抗力はゴルフボールを打つ際のゴルフクラブのヘッドによって生じる抵抗力に相当する。この増大する抵抗力に抗する動きをする練習者は、ボールを捕らえる間、スイングの速度を維持するために必要な筋肉を発達させる。
【００２１】
図１乃至１０で示される様々な変更形態は様々な方法で組み合わせることが可能である。バッテリー、及び音と光を作動させるスイッチは、示された実施形態のいかなるものにも追加可能で、多くの様々な方法で実施される。また、重り（１５）が練習器具の先端部に接するように動かされると、機械的な音響器で音を発することも可能である。図６で表されているように、第２の重りを放つためのスイッチは、機械的にあるいは電気的に作動することが可能である。チューブ（２５）に沿った重り（１５）の動きは、空気圧の抵抗を受けることもある。あるいは、弾性的な抵抗力を受けることもある。ばねの抵抗の利点は、重り（１５）がハンドル（１１）に迅速に戻り、練習器具がその後のスイングのための準備ができているという保証を与えてくれることである。
【００２２】
図７及び図８は、スイング練習器具（３０）の他の好適な実施形態を示す。このスイング練習器具（３０）は、重りとばねからなるシステムを備え、重りとばねからなるシステムはチューブ（３５）内に配され、練習用に用いられる。練習器具（３０）に配された重り（５５）は、先端部（５６）及び基端部（５７）を備える。先端部（５６）及び基端部（５７）は、好ましくは、ラッチが掛けられる、すなわち、ラッチにより相互接続されることにより、これらの始点であるハンドル（１１）から先端止め具（１３）へと移動することが可能となる。主なる伸張抵抗ばねは、基端部の重り（５７）に接続し、先端部の重り（５６）は、ロッド（５８）に接続され、ロッド（５８）は、基端部の重り（５７）を通じて前進する。圧縮ばね（５９）は、基端部の重り（５７）と、ロッド（５８）の基端部にあるディスク（５４）の間に配される。この圧縮ばね（５９）により、重り（５６）（５７）はわずかに接する。練習スイングの遠心力に応じて、ラッチすなわち相互接続部（６０）が、チューブ（３５）の長手方向を移動し始める際、ラッチすなわち相互接続部（６０）は重り（５６）及び（５７）を共に保持する。
【００２３】
重り（５６）と（５７）が移動する終端近くには、隣接部（６１）あるいは他の接続解除部が存し、これらがスイッチ効果をもたらす。重り（５６）及び（５７）が隣接部（６１）に達すると、ラッチ（６０）が開錠もしくは解錠され、重り（５６）と（５７）との間の接続を解除する。この結果、基端部の重り（５７）は接合部（６１）内で制御され、先端部の重り（５６）は、圧縮ばね（５９）のわずかな力により、先端止め具（１３）に向かって素早く前進する。実際には、隣接部（６１）での切替えにより、スイング力に抗する、先端部の重り（５６）を保持するばね力が瞬時に軽減される。これにより、重り（５６）は瞬時に端部の止め具（１３）に向かって瞬時に前進する。この前進により、端部の止め具（１３）では、スイング速度の維持に必要となる、抵抗力が瞬時に増大する。最高速度領域のスイングにおいて、瞬時に抵抗力を増大させると、練習者に所望の効果をもたらすことができる。これにより、ゴルフクラブのヘッドが、スイングで打球を捉える領域において、静止したボールを強打する練習をシミュレートすることができる。
【００２４】
スイングが終了すると、圧縮ばね（５９）は重り（５６）を後方へと戻し、重り（５６）は重り（５７）と接する。その間、主要なばね（１６）は、両方の重りをハンドル（１１）の方に向かって、後方へと戻す。これにより、重り（５６）と（５７）の間にあるラッチ（６０）により提供される相互接続を再構築する。
【００２５】
ラッチ（６０）が隣接部（６０）あるいは他のラッチ解除機構に達するとすぐに、機械的ラッチシステムは、解除される。隣接部（６０）あるいは他のラッチ解除機構は、接合到達部（６０）あるいは他のラッチ解除機構を解除する。好ましくは、ラッチ機構は、チューブ（３５）内部に配される。永久磁石により重り（５６）と（５７）が結合することによっても、ラッチ（６０）は掛止可能となる。
【００２６】
先端止め具（１３）へと近接する重りを増大させ、スイングの抵抗力を大きくさせる配置は、様々な方法により、図示するさまざまな実施形態で適用される。先端部の重りの質量を増大させることにより、使用者がインパクト領域を介して力強くスイングするのに要する筋力を発達させることができる。プロのゴルフ選手は、アマチュア選手よりも、より速いクラブヘッド速度でボールを打撃することが知られている。これには、以下に示す違いがあることが原因である。あらかじめ静止したボールをゴルフクラブで強打する際、アマチュア選手はインパクト時にスイング力を減少させる傾向にあるのに対し、プロの選手はクラブヘッド速度を維持することが可能であるためである。図７及び図８に示す配置を用いて、移動可能な重りを練習器具の外側先端領域に向かって瞬時に前進させる。これにより、練習器具を用いて、使用者は、インパクト領域を介し力強くスイングするのに要する筋力を発達させ、スイング速度をボール速度へと伝達させることが可能となる。
【００２７】
図９は他の好適なチューブタイプ練習器具（８０）の実施形態を示す。チューブ型練習器具（８０）は、ハンドル端部（８１）、ハンドグリップ（８２）、延伸コイルばね（８６）、そして重り（９０）を備え、これら全ては、チューブ内部（６５）に収容される。ハンドル端部のキャップもしくはプラグ（８３）はスロット（８４）を備え、スロット（８４）は横断ピン（８５）へと至り、横断ピン（８５）は、ばね（８６）のフック端部（８７）に固定される。これは、ばね（８６）のハンドル端部あるいは基端部をチューブ（６５）内部に固定する。重り（９０）はばね（８６）の先端部に固定され、重り（９０）とばね（８６）はチューブ（６５）内部で上下に移動可能となる。図９では、重り（９０）は、チューブ（６５）の先端部の少し手前の位置へと移動している状態を示す。重り（９０）の軸端部（９１）は、螺旋形状溝（９２）を有し、溝（９２）は、ばね（８６）の回旋部（９６）先端に収容される。これにより、噛合い接続がなされ、ばね（８６）の先端部にある重り（９０）がしっかりと固定される。
【００２８】
チューブ（６５）の先端部（６６）に、衝撃吸収材（７０）が配されることで、重り（９０）は衝撃吸収材（７０）に衝撃を与えることが可能となる。衝撃吸収は様々な方法で実現可能だが、好ましくは、チューブ（６５）の先端部（６６）に接する衝撃吸収材（７０）を備えることにより衝撃吸収がなされる。また、好ましくは、可塑性のエラストマー（７１）を備えることにより衝撃吸収がなされる。重り（９０）がチューブ（６６）の先端部に近接した時、エラストマー（７１）は、重り（９０）による衝撃を和らげ、重り（９０）の先端部の動きを制止する。図９はこれらの代替可能な実施形態の一つを示している。
【００２９】
先端プラグ（７２）は好ましくは、チューブ（６６）の先端部内でしっかりと固定され、衝撃吸収材（７０）は、重り（９０）により繰り返し与えられる衝撃を支持する。先端プラグ（７２）は様々な材質により形成される。例えば、先端キャップは金属で形成され、チューブ（６６）の端部一面を覆う。図９に示すように、先端プラグ（７２）は、段付螺子（７３）が配置されることで、所定の位置に保持される。なお、段付螺子（７３）は段付留螺子（７４）と螺合する。この配置により、先端プラグ（７２）が先端部（６６）におけるチューブ（６５）の壁と接続する際、螺子（７３）と留螺子（７４）は横断チューブ（６５）の直径方向に延伸する。
【００３０】
ワッシャ（７６）は可塑性のエラストマー（７１）の上を覆うよう配置されることが好ましい。螺子（７５）は好ましくは、ワッシャ（７６）、可塑性部材（７１）を先端プラグ（７２）に嵌合させる。この嵌合により、ワッシャ（７６）が衝撃部表面を形成し、該表面に対して、重り（９０）の先端表面（９３）が衝撃を与えても、部品全ては配置を崩さない。重り（９０）の先端部表面（９３）における凹部（９４）は、螺子の頭を包囲するため、重り（９０）は螺子（７５）とは衝突しない。
【００３１】
重り（９０）が、衝撃吸収材（７０）のワッシャ（７６）に対して衝撃を与える時の効果を、図１０において示す。可塑性のエラストマー（７１）は、重り（９０）が衝撃吸収材（７０）の先端に対して移動する時に生じる運動エネルギを和らげ、吸収する。この時、可塑性のエラストマー（７１）は、樽形状に膨張する。これにより、重り（９０）の移動は、制止し、衝撃が和らげられる。さらに、重り（９０）がワッシャ（７６）に対して衝突する時、音が生じる。
【図面の簡単な説明】
【００３２】
【図１】図１は、本発明のスイング練習器具の好適実施形態の変更形態を概略的に示したものである。
【図２】図２は、本発明のスイング練習器具の好適実施形態の変更形態を概略的に示したものである。
【図３】図３は、本発明のスイング練習器具の好適実施形態の変更形態を概略的に示したものである。
【図４】図４は、本発明のスイング練習器具の好適実施形態の変更形態を概略的に示したものである。
【図５】図５は、本発明のスイング練習器具の好適実施形態の変更形態を概略的に示したものである。
【図６】図６は、本発明のスイング練習器具の好適実施形態の変更形態を概略的に示したものである。
【図７】図７は、本発明のスイング練習器具の好適実施形態の変更形態を概略的に示したものである。
【図８】図８は、本発明のスイング練習器具の好適実施形態の変更形態を概略的に示したものである。
【図９】図９は、本発明のスイング練習器具の好適実施形態の変更形態を概略的に示したものである。
【図１０】図１０は、本発明のスイング練習器具の好適実施形態の変更形態を概略的に示したものである。
【図１】
2009518075.tif 000003
【図２】
2009518075.tif 000004
【図３】
2009518075.tif 000005
【図４】
2009518075.tif 000006
【図５】
2009518075.tif 000007
【図６】
2009518075.tif 000008
【図７】
2009518075.tif 000009
【図８】
2009518075.tif 000010
【図９】
2009518075.tif 000011
【図１０】
2009518075.tif 000012
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
中空状のチューブを備えるゴルフスイング練習器具であって、
前記チューブは先端止め具を備え、該止め具は前記チューブの先端部内に固定され、
前記練習器具は、さらに、
前記先端部によって支持される、衝撃吸収材を備え、
前記練習器具は、さらに、
伸張可能な弾性要素を備え、該弾性要素は前記チューブ内を伸縮するよう配されるとともに、前記チューブのハンドル端部における支持部に固定され、
前記練習器具は、さらに、
前記チューブ内の前記弾性要素の先端部に固定される重りを備え、該重りの質量が前記弾性要素の力や長さに関連付けられて定められることにより、ゴルフクラブを用いずに前記練習器具でゴルフスイングをシミュレーションする際、遠心力に応じて、前記重りが前記弾性要素を伸張させるととともに、前記弾性要素を前記チューブ先端部へ向かって移動させ、
前記重りは前記衝撃吸収材に衝撃を与えるよう配され、該衝撃吸収材が前記重りの先端方向への移動を制止させ、衝撃を和らげることを特徴とする、ゴルフスイング練習器具。
【請求項２】
前記衝撃吸収材が変形可能なエラストマーを備えることを特徴とする、請求項１記載のゴルフスイング練習器具。
【請求項３】
前記弾性要素は伸張コイルばねであって、前記重りは螺旋形状溝を有する軸を備え、該軸は、前記伸張コイルばねの回旋部先端内で収容されて噛合うことで、前記重りと前記ばねが接続されることを特徴とする、請求項１あるいは請求項２記載のゴルフスイング練習器具。
【請求項４】
前記重りが前記衝撃吸収材に対して衝撃を与える際、前記重りと前記衝撃吸収材が可聴音を発することを特徴とする、請求項１から請求項３記載のゴルフスイング練習器具。
【請求項５】
潤滑剤が前記チューブ内部に配され、前記ばねと前記重りの移動を円滑にすることを特徴とする、請求項１から請求項４記載のゴルフスイング練習器具。
【請求項６】
前記衝撃吸収材は先端プラグを備え、該先端プラグは、組立部により前記チューブに固定され、該組立部は、前記プラグを貫通し、該プラグの貫通入口から前記チューブ内の反対側の壁面領域へと到達するように、延出することを特徴とする、請求項１記載のゴルフスイング練習器具。
【請求項７】
伸張可能な弾性要素を備えた中空状のチューブを用いる、ゴルフクラブのスイング改善方法であって、該弾性要素は前記チューブ内で移動可能な重りを支持し、
前記方法は、
ゴルフクラブを用いずにチューブをスイングし、ゴルフクラブのスイングをシミュレートすることで、前記重りは、前記ばね力に抗して前記チューブの先端部へと移動を加速させ、前記チューブ先端部にて、前記重りは、前記チューブの先端部への加速に抗する抵抗力を増大させるよう、前記重りの質量、前記弾性要素の長さ、そして前記弾性要素の力を設定する段階と、
前記チューブの先端部で衝撃吸収材を配する段階を備え、前記重りが前記衝撃吸収材と係合し音を発する時、前記衝撃吸収材は、前記重りの前記チューブ先端部への移動を制止させ、その衝撃を和らげることを特徴とする、ゴルフクラブのスイング改善方法。
【請求項８】
前記衝撃吸収材が変形可能なエラストマーを備えることを特徴とする、請求項７記載のゴルフクラブのスイング改善方法。
【請求項９】
前記弾性要素は伸張コイルばねであって、前記重りは螺旋形状溝を有する軸を備え、該軸は、前記伸張コイルばねの回旋部先端内で収容されて噛合うことで、前記重りと前記ばねが接続されることを特徴とする、請求項７記載のゴルフクラブのスイング改善方法。
【請求項１０】
前記衝撃吸収材は先端プラグを備え、該先端プラグは、組立部により前記チューブに固定され、該組立部は、前記プラグを貫通し、該プラグの貫通入口から前記チューブ内の反対側の壁面領域へと到達するように、延出することを特徴とする、請求項７記載のゴルフクラブのスイング改善方法。
【国際調査報告】
2009518075.tif 000013